(57)【要約】【課題】両カットバサミの重畳組成を安定させる重畳組成のカットバサミの提供。【解決手段】重畳組成のカットバサミは、カットバサミに一連結塊を結合し、その連結塊の第一壁面には係止耳を具えた凸部が伸び、連結塊の第二壁面には係止耳を嵌合する穿孔を設置し、連結塊の内部に弾性部品を設置して一つのカットバサミの係止耳と別のカットバサミの穿孔を嵌合した時、弾性部品が係止耳を押止して、両カットバサミの併設を安定させる。【選択図】図３
2008188173.tif 000002
【特許請求の範囲】
【請求項１】
重畳組成のカットバサミにおいて、
二つの相互に枢設するハサミ部品と、
二つのハサミ部品の内の少なくとも一つのハサミ部品に結合し、第一壁面及び第二壁面を具え、この第一壁面上には最上縁を係止耳とする凸部を設置し、第二壁面には係止耳と対応する穿孔を設置し、その穿孔は槽孔へ延びて設置する連結塊と、
該連結塊の内部に設置し、二つのカットバサミを重畳した時、一つのカットバサミの係止耳は別のカットバサミの穿孔に入り、一つのカットバサミの凸部は別の一つのカットバサミの槽孔内で滑動し、一つのカットバサミの係止耳が別のカットバサミを結合する弾性部品によって押止される弾性部品を含むことを特徴とする重畳組成のカットバサミ。
【請求項２】
請求項１記載の重畳組成のカットバサミにおいて、前記カットバサミは、少なくとも一つの係止凹部を含み、弾性部品に設置して連結塊の係止耳を掛合することを特徴とする重畳組成のカットバサミ。
【請求項３】
請求項１記載の重畳組成のカットバサミにおいて、前記カットバサミは、納置凹部を含み、弾性部品に設置して、連結塊の係止耳を納置することを特徴とする重畳組成のカットバサミ。
【請求項４】
請求項１記載の重畳組成のカットバサミにおいて、前記カットバサミは、貫通孔を含み、二つの部品の内の少なくとも一つのハサミ部品に設置し、連結塊を結合設置することを特徴とする重畳組成のカットバサミ。
【請求項５】
請求項１記載の重畳組成のカットバサミにおいて、前記カットバサミは、槽口部を含み、連結塊に設置し、弾性部品を設置することを特徴とする重畳組成のカットバサミ。
【請求項６】
請求項５記載の重畳組成のカットバサミにおいて、前記連結塊は、その穿孔及び槽孔が槽口部と相互に貫通することを特徴とする重畳組成のカットバサミ。
【請求項７】
請求項１記載の重畳組成のカットバサミにおいて、前記弾性部品は、シリコン樹脂で製造することを特徴とする重畳組成のカットバサミ。
【発明の詳細な説明】
【技術分野】
【０００１】
本発明は、重畳組成のカットバサミに関するもので、特に二本の相互重畳するカットバサミが安定性を具えるものである。
【背景技術】
【０００２】
図１は、特許文献１と特許文献２の構造概略図であり、カットバサミの重畳組成の構造であり、カットバサミ１の両ハンドル部１１、１２箇所に各々貫通孔１１１、１２１を設置し、各貫通孔１１１、１２１内に連結塊１３をしっかりと設置する。この連結塊１３の一側縁壁には中空の槽口部１３１を形成する。図２に示すとおり、連結塊１３の一側表面には孔槽１３２を具え、また連結塊１３の別側表面には突出して前述の孔槽１３２と相互に嵌合する係止段１３３が形成される。各カットバサミのハンドル部１１，１２に嵌合する連結塊１３一側面に形成した孔槽１３２に、別カットバサミの連結塊１３の係止段１３３が対応し、この二カットバサミ１が相互に組み合わさり、相互に重畳して使用する。
【０００３】
【特許文献１】米国特許第６，１９２，５９０号明細書
【特許文献２】米国特許第６，５５７，２６３号明細書
【０００４】
上述特許の構造は、数本のカットバサミ１の間に定位して組み合わせて実施し、操作者が数本のカットバサミ１で髪をカットする時、軽く握り、同時に複数本のカットバサミを動かすことができる。このようにして使用者に良好な操作実施を提供する。また、上述の特許は、複数本のカットバサミ１を組み合わせるのに、両カットバサミ１上に連結塊１３を設置し、その孔槽１３２と係止段１３３によって相互に嵌合して完成する。この種の設置方式だと、長期に操作使用していると、常に摩擦によって材が磨耗し、両連結塊１３の間の緊密度が下がる。すると、数本のカットバサミ１を組み合わせて使用している時に二本のカットバサミ１の間の設置が揺れ、使用者が使いにくくなり、更にはヘアーカットの正確さも落ちる点である。
【発明の開示】
【発明が解決しようとする課題】
【０００５】
本発明の主な目的は、併設した時に安定性を具えた重畳組成のカットバサミを提供することにある。それはカットバサミに連結塊を結合し、その連結塊の一外側面には係止耳を具えた凸部が伸び、連結塊の別一外側面には係止耳を嵌合設置する穿孔が設置される。更に連結塊の内部に弾性部品を設置し、両カットバサミバサミを重畳する時に一つのカットバサミの係止耳を別の一つのカットバサミの穿孔に嵌合した時、弾性部品が係止耳を押止して両カットバサミの重畳組成を安定させる。
【課題を解決するための手段】
【０００６】
請求項１の発明は、重畳組成のカットバサミにおいて、
二つの相互に枢設するハサミ部品と、
二つのハサミ部品の内の少なくとも一つのハサミ部品に結合し、第一壁面及び第二壁面を具え、この第一壁面上には最上縁を係止耳とする凸部を設置し、第二壁面には係止耳と対応する穿孔を設置し、その穿孔は槽孔へ延びて設置する連結塊と、
該連結塊の内部に設置し、二つのカットバサミを重畳した時、一つのカットバサミの係止耳は別のカットバサミの穿孔に入り、一つのカットバサミの凸部は別の一つのカットバサミの槽孔内で滑動し、一つのカットバサミの係止耳が別のカットバサミを結合する弾性部品によって押止される弾性部品を含むことを特徴とする重畳組成のカットバサミとしている。
請求項２の発明は、請求項１記載の重畳組成のカットバサミにおいて、前記カットバサミは、少なくとも一つの係止凹部を含み、弾性部品に設置して連結塊の係止耳を掛合することを特徴とする重畳組成のカットバサミとしている。
請求項３の発明は、請求項１記載の重畳組成のカットバサミにおいて、前記カットバサミは、納置凹部を含み、弾性部品に設置して、連結塊の係止耳を納置することを特徴とする重畳組成のカットバサミとしている。
請求項４の発明は、請求項１記載の重畳組成のカットバサミにおいて、前記カットバサミは、貫通孔を含み、二つの部品の内の少なくとも一つのハサミ部品に設置し、連結塊を結合設置することを特徴とする重畳組成のカットバサミとしている。
請求項５の発明は、請求項１記載の重畳組成のカットバサミにおいて、前記カットバサミは、槽口部を含み、連結塊に設置し、弾性部品を設置することを特徴とする重畳組成のカットバサミとしている。
請求項６の発明は、請求項５記載の重畳組成のカットバサミにおいて、前記連結塊は、その穿孔及び槽孔が槽口部と相互に貫通することを特徴とする重畳組成のカットバサミとしている。
請求項７の発明は、請求項１記載の重畳組成のカットバサミにおいて、前記弾性部品は、シリコン樹脂で製造することを特徴とする重畳組成のカットバサミとしている。
【発明の効果】
【０００７】
本発明の重畳組成のカットバサミは、弾性部品の設置により、両カットバサミの重畳組成を安定させるという利点がある。
【発明を実施するための最良の形態】
【０００８】
図３に示すとおり、本発明のカットバサミ２は、二つの部品２１，２２から構成され、且つハサミ部品２１，２２の枢設点一端にはブレード部が形成される。各ハサミ部品２１、２２の枢設点の別端にはハンドル部２１１、２２１が設置され、このハンドル部２１１、２２１の底端は使用者が指を入れるためのリング形状ハンドル２１２、２２２を具え、且つ両ハサミ部品２１、２２のうちの少なくともひとつのハサミ部品２１もしくは２２に、少なくともひとつの貫通孔２１３，２２３を貫設する。
【０００９】
カットバサミ２のハサミ部品２１、２２の貫通孔２１３、２２３内に緊密に設置する連結塊３であるが、この連結塊３の両側表面の間に、槽口部３１を開設する。連結塊３は第一壁面３２及び第二壁面３３を具え、連結塊の第一壁面３２には凸部３２１が形成される。図４に示すとおり、この凸部３２１の最上縁は凸部３２１の延長方向に対して垂直に係止耳３２２が伸び、且つその係止耳３２と第一壁面３２の間に形成した欠切口３２３の幅は、第二壁面３３と槽口部３１の間に形成する厚みとほぼ同じで、連結塊３の第二壁面３３には係止耳３２２と対応する穿孔３３１を設置する。図５に示すとおり、この穿孔３３１には槽孔３３２を設置し、且つ槽孔３３２の幅は凸部３２１の厚みとほぼ同じで、その穿孔３３１及び槽孔３３２は、槽口部３１と相互に貫通する。
【００１０】
連結塊３の槽口部３１内に設置する弾性部品４について、この弾性部品４は、貫通孔２１３、２２３に押止して定位する。図６に示すとおり、この弾性部品４は、連結塊３の槽孔３３２位置に相対し、一つもしくは一つ以上の係止凹部４１が形成される（本発明では一つの係止凹部４１を形成し、実施例の説明としている）。弾性部品４は別に納置凹部４２を形成し、連結塊３の係止耳３２２に納置する。図７に示すとおりである。
【００１１】
図７に示すとおり、一つのカットバサミ２Ａに、別の一つのカットバサミ２Ｂを組み合わせた時、カットバサミ２Ａを結合する連結塊３Ａの第一壁面３２Ａと、カットバサミ２Ｂを結合する連結塊３Ｂの第二壁面３３Ｂは対立状態となり、カットバサミ２Ａを結合する連結塊３Ａの係止耳３２２Ａは、カットバサミ２Ｂを結合する連結塊３Ｂの穿孔３３１Ｂに差し込むことにより、連結塊３Ａの係止耳３２２Ａがカットバサミ２Ｂを結合する弾性部品４Ｂの納置凹部４２Ｂ内に納置される。その後、二カットバサミ２Ａ、２Ｂが相互に移動し、カットバサミ２Ａの凸部３２１Ａはカットバサミ２Ｂの槽孔３２２Ａ及び槽口部３１Ｂ内で滑動する。図８に示すとおり、同時にカットバサミ２Ａの係止耳３２２Ａを、カットバサミ２Ｂの連結塊３Ｂの槽口部３１Ｂ内で滑動させ、図９に示すとおり、二本のカットバサミ２Ａ、２Ｂの併設を完成する。また、本発明は、弾性部品の構造実施に於いて、カットバサミ２Ａの係止耳３２２Ａがカットバサミ２Ｂの連結塊３Ｂの槽口部３１Ｂ内に嵌合した時、カットバサミ２Ｂを結合する弾性部品４Ｂの係止凹部４１Ｂは、カットバサミ２Ａの係止耳３２２Ａに対して掛合して定位する。図８に示すとおり、相互に合わさる両連結塊の合わせる空間が大きすぎる時、弾性部品の設置が両カットバサミの併設を安定させ、しっかりと停止させて使いやすくする。
【００１２】
更に本発明の弾性部品４は、一つ以上の係止凹部４１で実施した場合、数本のカットバサミを併設する箇所によって定位でき、数本のカットバサミが落差を具えて設置する形態となる。
【００１３】
本発明の別の実施例は、図１０に示すとおり、前述の弾性部品４から係止凹部の設置を排除し、二本のカットバサミ２Ａ、２Ｂを併設した時、図１１に示すとおり、カットバサミ２Ａの係止耳３２２Ａがカットバサミ２Ｂを結合する連結塊３Ｂの槽口部３１Ｂ内で移動する時、カットバサミ２Ｂを結合する弾性部品４Ｂは常に係止耳３２２Ａに対して弾性停止し、カットバサミ２Ａが予定の位置で定位できるようにする。
前述の弾性部品４は、シリコン樹脂、ゴム、プラスチックもしくはその他の材料で製造し、弾性を具える。
【図面の簡単な説明】
【００１４】
【図１】公知の構造概略図である。
【図２】図１の両連結塊の立体分解図である。
【図３】本発明の立体分解図である。
【図４】連結塊の槽口部及び第一壁面を表示している図３の連結塊及び弾性部品を時計逆回転９０度で回転した立体図である。
【図５】連結塊の槽口部及び第二壁面を表示している図４の連結塊及び弾性部品を時計逆回転９０度で回転した立体図である。
【図６】図３の６−６の断面図である。
【図７】本発明の両カットバサミを重畳した断面図である。
【図８】図７の実施完成図である。
【図９】本発明のカットバサミを重畳した外観図である。
【図１０】本発明の別の実施例のカットバサミ断面図である。
【図１１】本発明の別の実施例の両カットバサミを初期状態で組み合わせた断面図である。
【符号の説明】
【００１５】
１      カットバサミ
１１    ハンドル部
１１１  貫通孔
１２    ハンドル部
１２１  貫通孔
１３    連結塊
１３１  槽口部
１３２  孔槽
１３３  係止段
２      カットバサミ
２１    ハサミ部品
２１０  ブレード部
２１１  ハンドル部
２１２  リング形状ハンドル
２１３  貫通孔
２２    ハサミ部品
２２０  ブレード部
２２１  ハンドル部
２２２  リング形状ハンドル
２２３  貫通孔
３      連結塊
３Ａ    連結塊
３Ｂ    連結塊
３１    槽口部
３１Ｂ  槽口部
３２    第一壁面
３２Ａ  第一壁面
３２１    凸部
３２１Ａ  凸部
３２２    係止耳
３２２Ａ  係止耳
３２３  欠切口
３３    第二壁面
３３Ｂ  第二壁面
３３１  穿孔
３３１Ｂ  穿孔
３３２    槽孔
３３２Ｂ  槽孔
４      弾性部品
４Ｂ    弾性部品
４１    係止凹部
４１Ｂ  係止凹部
４２    納置凹部
４２Ｂ  納置凹部
【図１】
2008188173.tif 000003
【図２】
2008188173.tif 000004
【図３】
2008188173.tif 000005
【図４】
2008188173.tif 000006
【図５】
2008188173.tif 000007
【図６】
2008188173.tif 000008
【図７】
2008188173.tif 000009
【図８】
2008188173.tif 000010
【図９】
2008188173.tif 000011
【図１０】
2008188173.tif 000012
【図１１】
2008188173.tif 000013